(57)【要約】【課題】ペンによる文字入力機能と手によるタッチ入力機能の両方の機能を具備した表示部を備え、使用者の誤入力を防止するとともに、使い勝手のよい情報端末装置およびその入力制御方法を提供する。【解決手段】専用ペンによるペン入力部４１ａと手（指）によるタッチ入力部４１ｂとが表示部４７と一体に構成された情報端末装置であって、ペンを保持する保持部と保持部にペンが保持されていることを検出するペン検出部４２と、ペン検出部４２がペンを検出しない場合、タッチ入力部４１ａのタッチ入力を無効にするように制御する入力制御部４４とを備えた。【選択図】図５
2010039741.tif 000002
【特許請求の範囲】
【請求項１】
専用ペンによるペン入力部とタッチ入力部とが、
表示部と一体に構成された情報端末装置であって、
前記専用ペンを保持する保持部と
前記保持部に前記専用ペンが保持されていることを検出するペン検出部と、
前記ペン検出部が前記専用ペンを検出しない場合、前記タッチ入力部のタッチ入力を無効にするように制御する入力制御部とを備えた情報端末装置。
【請求項２】
専用ペンによるペン入力部とタッチ入力部とが、
表示部と一体に構成された情報端末装置であって、
前記専用ペンは、前記専用ペンが手に把持されていることを検出する圧力検出部を有し、
前記圧力検出部が、前記専用ペンが手に把持されていることを検出する場合、前記タッチ入力部のタッチ入力を無効にするように制御する入力制御部とを備えた情報端末装置。
【請求項３】
前記ペン入力部はデジタイザで構成され、前記タッチ入力部はタッチパネルで構成された請求項１または請求項２に記載の情報端末装置。
【請求項４】
専用ペンによるペン入力部とタッチ入力部とが表示部と一体に構成され、
前記専用ペンを保持する保持部を備えた情報端末装置の入力制御方法であって、
前記保持部に前記専用ペンが保持されていることを検出するペン検出ステップと、
前記ペン検出ステップが前記専用ペンを検出しない場合、前記タッチ入力部のタッチ入力を無効にするように制御する入力制御ステップとを備えた情報端末装置の入力制御方法。
【請求項５】
専用ペンによるペン入力部とタッチ入力部とが表示部と一体に構成され、
前記専用ペンは、前記専用ペンが手に把持されていることを検出する圧力検出部を備えた情報端末装置の入力制御方法であって、
前記専用ペンが手に把持されていることを検出する圧力検出ステップと、
前記圧力検出ステップで前記専用ペンが手に把持されていることを検出する場合、前記タッチ入力部のタッチ入力を無効にするように制御する入力制御ステップとを備えた情報端末装置の入力制御方法。
【発明の詳細な説明】
【技術分野】
【０００１】
本発明は、ペン入力機能を備えたタブレット型の情報端末装置およびその入力制御方法に関するものである。
【背景技術】
【０００２】
近年、ＰＤＡやタブレットＰＣ等の携帯型の情報端末装置が急速に普及しつつある。このような携帯型の情報端末装置においてはその使用形態あるいは小型軽量の要求から従来のキーボードやマウスの使用が難しい。そこで、これらに代わってディスプレイをタッチペンや手でタッチすることにより必要な情報を入力するポインティングデバイスが利用される場合が多い。また、最近では、専用の入力ペンを使ったデジタイズ機能とタッチペンや手によるタッチパネル機能を同じディスプレイ上で実現したものが登場してきている。このようなものをここではタブレットと呼ぶことにする。
【０００３】
このような入力ペンと手の両方を使えるタブレットでは、液晶ディスプレイ（以下、「ＬＣＤ」という）等の表面にデジタイザとタッチパネルが設けられている。入力ペンまたは手のどちらかがタブレット画面にタッチした状態では問題ないが、画面に手をつきながらペン入力するときのように両方同時にタッチした場合には、お手つき部分をタッチとして誤入力する問題があった。
【０００４】
このために、従来は、ペン入力の際には、ペンを持つ手が接触する領域を無効領域に設定することにより、この誤検出を防いでいた（例えば、特許文献１を参照）。
【０００５】
また、タッチ領域の面積を比較し、小面積のタッチ領域（ペン）を有効にし、大面積のタッチ領域（手）を無効と判定することにより、この誤検出を防いでいた（例えば、特許文献２を参照）。
【０００６】
ここで、タブレット画面にペンを用いて文字を入力する方法を図１２により説明する。図１２は所定のアプリケーションでタブレット画面上に入力画面５１を開いて、現住所、電話番号、氏名等をペン５で手書き入力する場合の手順を説明するための図である。
【０００７】
図１２（ａ）において、入力画面５１には現住所入力欄５２、電話番号入力欄５３および氏名入力欄５４が表示されている。使用者が現住所を入力する際には、ペン５で現住所入力欄５２の内部をタッチすると文字入力パッド５５が表示される。文字入力パッド５５には手書き文字記入領域５６の他に、ＯＫボタン５７、Ｃａｎｃｅｌボタン５８が配置されている。ＯＫボタン５７は手書き入力を確定させるためのボタン、Ｃａｎｃｅｌボタン５８は入力を中止するボタンであり、使用者がペン５等を使ってそれぞれのボタンをタッチすることにより所定の動作が行われる。また、カーソル５９は次に入力される文字位置を指示するポインターであり、使用者がＯＫボタン５７をタッチすると手書き入力した文字を文字認識してテキストデータに変換し、このカーソル５９の位置から入力される。
【０００８】
図１２に示すように、使用者が文字入力パッド５５の手書き文字記入領域５６に所定文字（「中央区」）をペン５で手書き入力し（図１２（ａ））、次にＯＫボタン５７をペン５でタッチすると、手書き入力文字（「中央区」）は現住所入力欄５２の正しい位置（「大阪市」の後）に入力される（図１２（ｂ））。
【特許文献１】特開平９−４４２９３号公報
【特許文献２】特開２００６−３９６８６号公報
【発明の開示】
【発明が解決しようとする課題】
【０００９】
しかしながら、上記従来の方法では、ペン５と手４が同時にタブレット画面にタッチしている場合には問題ないが、ペン５での手書き文字入力が終了し、手４をタブレット画面から離す前にペン５をタブレット画面から離すと、手４のタッチが有効になってしまう。このとき、手４のタッチ位置によっては入力画面５１の意図しない場所にカーソル５９が移動してしまって誤入力するという問題があった。
【００１０】
図１３は誤って入力する例を示す図である。図１３において、使用者のペン５を持つ手４が、本来入力すべき現住所入力欄５２とは異なる入力欄、例えば氏名入力欄５４にタッチしている場合を考える。図１３（ａ）のようにペン５で文字を書いている間はよいが、文字の記入が終わり図１３（ｂ）のように手４が氏名入力欄５４をタッチした状態で、ペン５をタブレット画面から離すと、タッチが有効になり、カーソル５９が氏名入力欄５４へ移動してしまう。このような状態で図１３（ｃ）のように、ＯＫボタン５７にペン５でタッチすると、手書き文字記入領域５６に記入した文字（「中央区」）は氏名入力欄５４に入力される。このように、従来の方法では、手４がタブレット画面上のタッチする位置によっては、誤った位置に文字が入力されることがあった。
【００１１】
本発明は、上記課題を解決するためになされたもので、ペンによる文字入力機能と手によるタッチ入力機能の両方の機能を具備した表示部を備え、使用者の誤入力を防止するとともに、使い勝手のよい情報端末装置およびその入力制御方法を提供することを目的とする。
【課題を解決するための手段】
【００１２】
上記の目的を達成するために、本発明の情報端末装置は、専用ペンによるペン入力部とタッチ入力部とが、表示部と一体に構成された情報端末装置であって、専用ペンを保持する保持部と保持部に専用ペンが保持されていることを検出するペン検出部と、ペン検出部が専用ペンを検出しない場合、タッチ入力部のタッチ入力を無効にするように制御する入力制御部とを備えた。
【００１３】
このような構成により、ペンがペンホルダーに収納されていないことが検出された場合にタッチ入力を無効にする。したがって、ペンによる文字入力機能と手によるタッチ入力機能の両方の機能を有する情報端末装置において、使用者がペンを使用して文字入力中はタッチ入力が無効となるので、使用者のお手つきによって誤った位置にカーソルが移動して、文字入力位置を間違えることがない。これにより、情報端末装置の文字入力のスピードと信頼性が向上し、使用者は安心して手書き文字入力機能を使用することができる。
【００１４】
また、本発明の情報端末装置は、専用ペンによるペン入力部とタッチ入力部とが、表示部と一体に構成された情報端末装置であって、専用ペンは、専用ペンが手に把持されていることを検出する圧力検出部を有し、圧力検出部が専用ペンが手に把持されていることを検出する場合、タッチ入力部のタッチ入力を無効にするように制御する入力制御部とを備えた。
【００１５】
このような構成により、ペンに備えられた感圧センサーによって、ペンが使用者の手に把持されていることが検出された場合には、タッチ入力を無効にする。したがって、ペンによる文字入力機能と手によるタッチ入力機能の両方の機能を有する情報端末装置において、使用者のお手つきによって誤った位置にカーソルが移動して文字入力位置を間違えることがない。これにより、情報端末装置の文字入力のスピードと信頼性が向上し、使用者は安心して手書き文字入力機能を使用することができる。
【００１６】
また本発明の情報端末装置では、ペン入力部はデジタイザで構成され、タッチ入力部はタッチパネルで構成されてもよい。
【００１７】
このような構成により、例えば専用ペンを使った電磁誘電方式のデジタイザと、抵抗膜方式のタッチパネルから構成されるタブレットを使って文字入力が可能となるので、特別な工夫なくペン入力とタッチ入力を区別でき、文字入力の信頼性をさらに上げることができる。さらに、デジタイザを使うのでより細かな文字入力が可能となる。
【００１８】
本発明の情報端末装置の入力制御方法は、専用ペンによるペン入力部と、タッチ入力部とが表示部と一体に構成され、専用ペンを保持する保持部を備えた情報端末装置の入力制御方法であって、保持部に専用ペンが保持されていることを検出するペン検出ステップと、ペン検出ステップが専用ペンを検出しない場合、タッチ入力部のタッチ入力を無効にするように制御する入力制御ステップとを備えた。
【００１９】
また、本発明の情報端末装置の入力制御方法は、専用ペンによるペン入力部とタッチ入力部とが表示部と一体に構成され、専用ペンは、専用ペンが手に把持されていることを検出する圧力検出部を備えた情報端末装置の入力制御方法であって、専用ペンが手に把持されていることを検出する圧力検出ステップと、圧力検出ステップで専用ペンが手に把持されていることを検出する場合、タッチ入力部のタッチ入力を無効にするように制御する入力制御ステップとを備えた。
【発明の効果】
【００２０】
本発明によれば、ペンによる文字入力機能と手によるタッチ入力機能の両方の機能を具備した表示部を備え、使用者の誤入力を防止するとともに、使い勝手のよい情報端末装置およびその入力制御方法を提供することができる。
【発明を実施するための最良の形態】
【００２１】
以下、本発明の実施の形態について図面を参照しながら詳細に説明する。
【００２２】
（実施の形態１）
図１は、本実施の形態における情報端末装置１の概観図である。情報端末装置１はタブレットＰＣであり、本体２、入力および表示用のタブレット画面３およびペンホルダー６を備えている。タブレット画面３は後述するように、表示用のＬＣＤ、文字入力用のデジタイザおよびタッチパネルが一体構造となって形成されている。また、ペンホルダー６は情報端末装置１専用のペン５を収納できるようになっており、使用者はペン５を使用しない時にはペンホルダー６に収納することでペン５の紛失等を避けることができる。
【００２３】
使用者がペン５を手４で把持してタブレット画面３に文字を記入すると、デジタイザがペン５の位置座標を検出し、タブレット画面３に表示するとともに、本体２の文字認識機能により、記入した文字が入力される。また同時に、画面内に表示されたアイコン等を手（指）４でタッチすることにより本体２に各種動作指示を与えることができる。
【００２４】
図２は、ペンホルダー６の一例を示す図であり、図２（ａ）はペン５をペンホルダー６に収納した状態を示し、図２（ｂ）はペン５をペンホルダー６から取り外した場合（ペンを使用中）の状態を示している。ペンホルダー６にはペンセンサー７が備えられている。ペンセンサー７は、ペン５が収納されている場合は、ペン５の側面がペンセンサー７を押し下げる。またペンを取り出すとペンセンサー７は元の位置に戻る。このように、ペンセンサー７の位置を検出することによりペン５がペンホルダー６に収納されているか否かが検出できる構造となっている。なお、ペンセンサー７は、上述したような機械的な方式に限定されるものではなく、磁気や光などを使った方式でもよいのは言うまでもない。図３は、タブレット画面３の構成を説明するための図であり、ＬＣＤ２３の上部と下部にそれぞれタッチパネル２１およびデジタイザ２２が形成されている。
【００２５】
タッチパネル２１は、例えば抵抗膜方式があり、ベースとなるガラス面の表面に薄いスペーサをはさみ、その表面にＰＥＴなどのフィルムシートが貼り付けられる。ガラスおよびフィルムの間には、ＩＴＯ（Ｉｎｄｉｕｍ  Ｔｈｉｎ  Ｏｘｉｄｅ）等の透明な電極格子が設けられている。使用者がタッチしていない状態では、スペーサにより２枚の電極は接触していないため、電流は流れず、フィルム面をタッチすると、圧力によりフィルムがたわみ、ガラス面の電極と接触し、電気が流れる。ガラス面、フィルム面それぞれの透明電極の抵抗によるＸ方向およびＹ方向の分圧比を測定して押された位置を検出する。この方法は、ペンによって文字を入力するような細かな入力は苦手であるが、画面上の比較的大きな所定の位置を指定する場合には有効な方法である。
【００２６】
デジタイザ２２は、例えば、電磁誘導方式を用いセンサー基板に複数のセンサーコイルが配置されており、入力ペンにはコイルとコンデンサで構成された共振回路が内蔵されている。センサーコイルに電流を流すとタブレットの前面に磁界が発生し、それがペンの共振回路にエネルギーを蓄える。次にセンサーコイル側の電流を止めて、ペンに蓄えたエネルギーを使ってペン側から磁界をセンサーコイルに送り返す。この動作を高速に繰り返すことにより、位置等の入力ペンからの情報を検出する。検出した位置情報から文字認識により文字入力が可能となる。
【００２７】
また、タッチパネル２１およびデジタイザ２２の実現方法は上記の方法に限定されるものではなく、例えば、静電結合方式を使って、ペン５と手（指）４による入力時の電流の流れる方向を検知して両方の入力を区別する方法等でもよい。また、タブレット画面３の構成も図３に限定されるものではなくＬＣＤ２３上でデジタイザ機能とタッチパネル機能を実現できるものであればよい。
【００２８】
次に、図４を用いて本実施の形態における情報端末装置１のシステム構成を説明する。図４は情報端末装置１のシステム構成を示すブロック図である。図４に示すように情報端末装置１は、ＣＰＵ３１、ＲＡＭ３２、ＲＯＭ３３、ディスプレイコントローラ３４、ＬＣＤ２３、ディスクコントローラ３５、ＨＤＤ（ハードディスクドライブ）３６、ポインティングデバイスコントローラ３７、タッチパネル２１、デジタイザ２２、ペンセンサー７およびバス３８を備えている。
【００２９】
図４において、ＣＰＵ３１は、情報端末装置１全体を制御する中央処理装置である。ＲＡＭ３２は、ＣＰＵ３１の主記憶メモリとして動作する。ＲＯＭ３３にはＢＩＯＳ等の基本動作プログラムが収納される。ディスプレイコントローラ３４は文字データや画像データをＬＣＤ２３に表示する。ディスクコントローラ３５はＨＤＤ３６へのデータの書き込みおよびＨＤＤ３６からのデータの読み出しの制御を行う。ＨＤＤ３６には各種データとともに、ＯＳや各種アプリケーションソフトを記憶している。ポインティングデバイスコントローラ３７はタッチパネル２１およびデジタイザ２２からの入力を受付け、入力座標をＢＩＯＳ等へ伝えるとともに、ペンセンサー７の検出結果を取り込み後述するような入力制御を行う。
【００３０】
次に、本実施の形態における情報端末装置１の入力機能について説明する。図５は情報端末装置１の機能ブロック図である。ペン入力座標検出部４３ａはペン入力部４１ａからのペン入力情報を受け取りタブレット画面３上の位置情報（ＸＹ座標）を検出して処理部４５へ出力する。同様に、タッチ入力座標検出部４３ｂはタッチ入力部４１ｂからのタッチ入力情報を受け取りタブレット画面３上の位置情報（ＸＹ座標）を検出して処理部４５へ出力する。また、入力制御部４４はペン検出部４２からの検出結果を受け取り、検出結果に基づいて、それぞれの入力を有効にするか無効するかを判断し、その結果を処理部４５へ出力する。
【００３１】
処理部４５においては、取り込んだペン入力座標から手書き文字を認識してテキストデータに変換したり、手書き文字をそのまま表示部４７に表示する。また、表示部４７にはアイコン等が表示されており、このアイコンをペンや手でタッチすることにより、入力選択やアプリケーションソフトの起動ができる。文字やデータを入力するアプリケーションであれば、入力開始位置をペンや手でタッチすることによりカーソルを移動させることもできる。表示制御部４６は処理部４５から処理データを受取り、表示部４７に表示させる。
【００３２】
上記において、図４と図５の各構成要素の対応は以下の通りである。
【００３３】
ペン入力部４１ａ、ペン入力座標検出部４３ａはデジタイザ２２に対応し、タッチ入力部４１ｂ、タッチ入力座標検出部４３ｂはタッチパネル２１に対応する。ペン検出部４２はペンホルダー６のペンセンサー７に対応する。また、入力制御部４４はポインティングデバイスコントローラ３７およびＣＰＵ３１に対応し、処理部４５はＣＰＵ３１、表示制御部４６はディスプレイコントローラ３４に、表示部４７はＬＣＤ２３にそれぞれ対応する。
【００３４】
図６は、本実施の形態の情報端末装置１の入力動作の流れを示すフローチャートである。図５および図６を用いて情報端末装置１の入力動作を説明する。図６に示すように、まず情報端末装置１の電源を入れると入力制御部４４はペン入力およびタッチ入力ともに有効に設定する（ステップＳ１）。次に、ステップＳ２でペンホルダー６のペンセンサー７がペン５の有無を検出し、ペン５がペンホルダー６に無ければ（Ｙｅｓ）ステップＳ３に進む。ステップＳ３では、入力制御部４４はタッチ入力を無効にする。すなわち、ペン５がペンホルダー６に無ければ使用者はペン５を使って入力作業中であると判断できるので、ペン入力のみを有効にし、タッチ入力を無効にする。これにより使用者が文字入力中にタブレットからペンを離してもタッチ入力が無効になっているためカーソルが誤って移動して誤入力することがない。一方、ステップＳ２でペン５がペンホルダー６に有った場合（Ｎｏ）はステップＳ４に進む。ステップＳ４では終了か否かを判定して、終了でない場合（Ｎｏ）はステップＳ２に戻って動作を継続する。
【００３５】
最後に、実際の入力場面を想定した動作を図７を用いて説明する。図７は所定のアプリケーションで入力画面を開いて、現住所、電話番号、氏名等をペン５で手書き入力する場合のペン５および手４とタブレットとの位置関係を説明するための図である。図７（ａ）はペン５と手４の両方がタブレットに付いている状態（通常の状態）の図、図７（ｂ）はペン５だけをタブレットから離した状態（休止の状態）の図、図７（ｃ）は再びペン５をタブレット上にタッチした状態の図である。
【００３６】
図７（ａ）において、入力画面５１には現住所を入力するための現住所入力欄５２、電話番号入力欄５３および氏名入力欄５４が表示されている。使用者が現住所を入力する際には、ペン５で現住所入力欄５２の内部をタッチすると文字入力パッド５５が表示される。
【００３７】
まず、使用者が文字入力パッド５５の手書き文字入力領域５６に住所をペン５で記入する。その際、ペン５を持つ手４が氏名入力欄５４をタッチしているとする。この場合でも、ペン５はペンホルダー６には無いので手４のタッチは無効になり、ペン５の入力のみが有効となる。
【００３８】
次に、使用者が所定文字（「中央区」）の記入を終わり、ペン５をタブレットから離す（図７（ｂ））。手４は引き続き氏名入力欄５４にタッチしたままであるが、タッチ入力は無効のままであるのでカーソル５９が氏名入力欄５４の位置に移動せず、本来の位置である現住所入力欄５２の「大阪市」の後にとどまっている。この状態で、使用者がペン５でＯＫボタン５７をタッチすると、手書き入力文字は現住所入力欄５２の正しい位置（「大阪市」の後）に入力される（図７（ｃ））。
【００３９】
このように、本実施の形態の情報端末装置１によれば、ペンホルダー６にペン５が収納されていない場合にペン５が使用されていると判断し、タッチ入力を無効にするよう制御する。したがって、ペン５による文字入力機能と手４によるタッチ入力機能の両方の機能を有する情報端末装置１において、使用者のお手つきによって誤った位置にカーソルが移動して文字入力位置を間違えることがない。これにより、情報端末装置１の文字入力のスピードと信頼性が向上し、使用者は安心して手書き文字入力機能を使用することができる。  
【００４０】
（実施の形態２）
図８は、本実施の形態における情報端末装置１０１の概観図である。本実施の形態の情報端末装置１０１が実施の形態１の情報端末装置１と異なる点は、ペン１０５が感圧センサー１０７を備えており、この感圧センサー１０７の出力がペン１０５と本体２の接続端子１０８を接続するペンケーブル１０９によって本体２に伝達される。したがって、使用者が、ペンホルダー１０６からペン１０５を手４で持つと、感圧センサー１０７はそれを検知し本体２に伝達する。一方、使用者がペン１０５をペンホルダー１０６に戻すと、感圧センサー１０７は圧力を検知しないので、ペン５が使用されていないと判断する。それ以外の構成は実施の形態１と同じであるので説明は省略する。以下の図面についても同様とする。
【００４１】
図９は、本実施の形態の情報端末装置１０１のシステム構成を示すブロック図である。図９に示すようにペン１０５に備えられた感圧センサー１０７の出力がポインティングデバイスコントローラ１３７に出力される構成となっている。
【００４２】
図１０は、本実施の形態の情報端末装置１０１の機能ブロック図である。図１０に示すように、圧力検出部１４２の検出結果は、入力制御部１４４に入力される。入力制御部１４４は圧力検出部１４２からの検出結果を受け取り、検出結果に基づいて、ペン入力またはタッチ入力を有効にするか無効するかを判断し、その結果を処理部４５へ出力する。ここで、圧力検出部１４２はペン１０５の感圧センサー１０７に対応する。
【００４３】
図１１は、本実施の形態の情報端末装置１０１の入力動作の流れを示すフローチャートである。図１０および図１１を用いて情報端末装置１０１の入力動作を説明する。図１１と図６の異なる点は、ペン１０５が手４に把持されているか否かを判定するステップＳ１０２のみであり、それ以外のステップは図６と同じである。図１１に示すように、まず情報端末装置１０１の電源を入れると入力制御部１４４はペン入力およびタッチ入力ともに有効に設定する（ステップＳ１）。次に、ステップＳ１０２でペン１０５の感圧センサー１０７で手４の圧力を検出し、ペン１０５が手４に把持されていると（Ｙｅｓ）ステップＳ３に進む。ステップＳ３では、入力制御部１４４はタッチ入力を無効にする。すなわち、ペン１０５が手４に把持されていれば使用者はペン１０５を使って入力作業中であると判断できるので、ペン入力のみを有効にし、タッチ入力を無効にする。これにより使用者が文字入力中にタブレットからペンを離してもタッチ入力が無効になっているためカーソルが誤って移動して誤入力することがない。一方、ステップＳ１０２でペン１０５が手４に把持されていない場合（Ｎｏ）はステップＳ４に進む。ステップＳ４では終了か否かを判定して、終了でない場合（Ｎｏ）はステップＳ２に戻って動作を継続する。
【００４４】
実際の入力場面を想定した動作は実施の形態１の図７を用いて説明した内容と同じであるので説明は省略する。
【００４５】
このように、本実施の形態の情報端末装置１０１によれば、ペン１０５に備えられた感圧センサー１０７によって、ペン１０５が使用者の手４に把持されているか否かが判定され、ペン１０５が使用者の手４に把持されている場合には、タッチ入力を無効にするよう制御する。したがって、ペン５による文字入力機能と手４によるタッチ入力機能の両方の機能を有する情報端末装置１０１において、使用者のお手つきによって誤った位置にカーソルが移動して文字入力位置を間違えることがない。これにより、情報端末装置１０１の文字入力のスピードと信頼性が向上し、使用者は安心して手書き文字入力機能を使用することができる。
【００４６】
なお、上記実施の形態では、ペン１０５の感圧センサー１０７の検出結果はペンコード１０９を介して本体２へ伝送されるとして説明したが、ペン１０５と本体２に、無線ＬＡＮ、Ｂｌｕｅｔｏｏｔｈ等の無線モジュールを備え、ペン１０５は感圧センサー１０７の検出結果を無線で本体２へ伝送してもよい。
【００４７】
以上説明したように、本発明の情報端末装置によれば、手でタブレットをタッチしたままペンをタブレットから離す場合にも、次の入力位置を指定するカーソルは誤った位置に移動することがなく手書き入力文字を正しい位置に入力することが可能となる。
【産業上の利用可能性】
【００４８】
本発明は、ペン入力機能とタッチ入力機能を有するタブレット型の情報端末装置に幅広く適用可能である。
【図面の簡単な説明】
【００４９】
【図１】本発明の実施の形態１における情報端末装置の概観図
【図２】同情報端末装置のペンホルダーの構造を示す図
【図３】同情報端末装置のタブレットの構成を説明するための図
【図４】同情報端末装置のシステム構成を示すブロック図
【図５】同情報端末装置の機能ブロック図
【図６】同情報端末装置の入力動作の流れを示すフローチャート
【図７】同情報端末装置のペンおよび手とタブレットとの位置関係を説明するための図
【図８】本発明の実施の形態２における情報端末装置の概観図
【図９】同情報端末装置のシステム構成を示すブロック図
【図１０】同情報端末装置の機能ブロック図
【図１１】同情報端末装置の入力動作の流れを示すフローチャート
【図１２】従来の情報端末装置で手書き入力する場合の手順を説明するための図
【図１３】従来の情報端末装置で誤って入力する例を示す図
【符号の説明】
【００５０】
１，１０１    情報端末装置
２    本体
３    タブレット
４    手
５，１０５    ペン
６，１０６    ペンホルダー（保持部）
７    ペンセンサー（ペン検出部）
２１    タッチパネル
２２    デジタイザ
２３    ＬＣＤ（表示部）
３１    ＣＰＵ
３２    ＲＡＭ
３３    ＲＯＭ
３４    ディスプレイコントローラ
３５    ディスクコントローラ
３６    ＨＤＤ（ハードディスクドライブ）
３７，１３７    ポインティングデバイスコントローラ（入力制御部）
３８    バス
４１ａ    ペン入力部
４１ｂ    タッチ入力部
４２    ペン検出部
４３ａ    ペン入力座標検出部
４３ｂ    タッチ入力座標検出部
４４，１４４    入力制御部
４５    処理部
４６    表示制御部
４７    表示部
１０７    感圧センサー（圧力検出部）
１０８    接続端子
１０９    ペンケーブル
１４２    圧力検出部
【図１】
2010039741.tif 000003
【図２】
2010039741.tif 000004
【図３】
2010039741.tif 000005
【図４】
2010039741.tif 000006
【図５】
2010039741.tif 000007
【図６】
2010039741.tif 000008
【図７】
2010039741.tif 000009
【図８】
2010039741.tif 000010
【図９】
2010039741.tif 000011
【図１０】
2010039741.tif 000012
【図１１】
2010039741.tif 000013
【図１２】
2010039741.tif 000014
【図１３】
2010039741.tif 000015